(57)【要約】【課題】有線式とコードレス式とで筐体を共通化して、コストダウンを図ることができる電気機器を提供すること。【解決手段】筐体２及び電気的負荷３を有する電気機器１において、前記筐体２に係合部１７を有する貫通孔９を形成し、電力線１０のケーブルブッシュ１１又は受電端子部材１２を前記貫通孔９から露出させて択一的に取り付けることで、前記筐体２を共通化して、前記電気機器１を有線式とコードレス式の何れかにすることができる。また、前記ケーブルブッシュ１１に形成された第一係合受部２２と前記受電端子部材１２に形成された第二係合受部２５の形状を同一とすることで、前記筐体２を単純な構造で共通化して、有線式とコードレス式の電気機器１を安価に製造することができる。なお、電気的負荷３は、電動機、熱源、光源、スピーカー等、供給される電流によって動作する要素である。【選択図】図１
2020181940.tif 000002
【特許請求の範囲】
【請求項１】
筐体及び電気的負荷を有する電気機器において、
前記筐体が、貫通孔と、電力線のケーブルブッシュ又は受電端子部材を前記貫通孔から露出させて択一的に取り付けるための係合部とを有することを特徴とする電気機器。
【請求項２】
前記筐体における貫通孔の縁部に前記係合部が形成され、前記ケーブルブッシュに、前記係合部に対応する第一係合受部が形成され、前記受電端子部材に、前記係合部に対応する第二係合受部が形成されると共に、前記第一係合受部と第二係合受部とが実質的に同じ形状とされることを特徴とする請求項１記載の電気機器。
【請求項３】
前記筐体における貫通孔の縁部に前記係合部が形成され、この係合部が第一係合部と第二係合部とを有し、前記ケーブルブッシュに、前記第一係合部に対応する第一係合受部が形成されると共に、前記受電端子部材に、前記第二係合部に対応する第二係合受部が形成されることを特徴とする請求項１記載の電気機器。
【請求項４】
前記筐体における貫通孔の縁部に前記係合部が形成され、前記ケーブルブッシュに第一係合受部が形成され、前記受電端子部材に第二係合受部が形成されると共に、前記係合部と第一係合受部又は／及び前記係合部と第二係合受部との間に中間体が設けられ、この中間体が、前記係合部に対応する中間係合受部と、前記第一係合受部又は／及び前記第二係合受部に対応する第一中間係合部又は／及び第二中間係合部を有することを特徴とする請求項１記載の電気機器。
【請求項５】
前記筐体における貫通孔の近傍に前記係合部が設けられ、前記ケーブルブッシュに、前記係合部に対応する第一係合受部が形成され、前記受電端子部材に、前記係合部に対応する第二係合受部が形成されると共に、前記第一係合受部と第二係合受部とが実質的に同じ形状とされることを特徴とする請求項１記載の電気機器。
【請求項６】
前記筐体における貫通孔の近傍に前記係合部が形成され、この係合部が第一係合部と第二係合部とを有し、前記ケーブルブッシュに、前記第一係合部に対応する第一係合受部が形成されると共に、前記受電端子部材に、前記第二係合部に対応する第二係合受部が形成されることを特徴とする請求項１記載の電気機器。
【請求項７】
前記筐体における貫通孔の近傍に前記係合部が形成され、前記ケーブルブッシュに第一係合受部が形成され、前記受電端子部材に第二係合受部が形成されると共に、前記係合部と第一係合受部又は／及び前記係合部と第二係合受部との間に中間体が設けられ、この中間体が、前記係合部に対応する中間係合受部と、前記第一係合受部又は／及び前記第二係合受部に対応する第一中間係合部又は／及び第二中間係合部を有することを特徴とする請求項１記載の電気機器。
【発明の詳細な説明】
【技術分野】
【０００１】
本発明は、外部から給電されることで動作したり充電されたりする電気機器に関するものである。
【背景技術】
【０００２】
従来、この種の電気機器として、掃除機本体の外殻体に取付孔を設け、この取付孔から露出するように電源コードのケーブルブッシュを保持させることで、前記電源コードを通じて前記掃除機本体内の電動送風機に電力を供給する、有線式の電気掃除機が知られている（例えば、特許文献１参照。）。また、充電機器の外殻体に取付孔を設け、この取付孔から露出するように給電用のジャックを保持させることで、このジャックを通じて前記充電機器内の二次電池に電力を供給する、コードレスの充電機器が知られている（例えば、特許文献２参照。）。一般的に、前者のような有線式は比較的大型のもの、後者のようなコードレス式は比較的小型のもので採用される傾向があった。従って、これらの電気機器の筐体は、有線式は有線式として、コードレス式はコードレス式として設計されるのが一般的であった。
【先行技術文献】
【特許文献】
【０００３】
【特許文献１】特開２０１８−４５６号公報
【特許文献２】特許第３７８７５４６号公報
【発明の概要】
【発明が解決しようとする課題】
【０００４】
近年の二次電池の性能向上により、比較的大型の電気機器であっても、本体内に二次電池を収納したコードレス式が採用される場合が増えている。一方、重量増や使用時間の観点から、コードレス式よりも有線式を好む使用者も存在する。このため、企業としては、使用者の要求に合わせて、有線式とコードレス式の電気機器をそれぞれ用意するのが望ましい。しかしながら、前述したように、有線式は有線式として、コードレス式はコードレス式として筐体が設計され、筐体を共通化するという技術思想がなかった。このため、有線式とコードレス式の両方を用意すると、全体としてコストアップになるという問題があった。
【０００５】
本発明は以上の問題点を解決し、有線式とコードレス式とで筐体を共通化して、全体としてコストダウンを図ることができる電気機器を提供することを目的とする。
【課題を解決するための手段】
【０００６】
本発明の請求項１に記載の電気機器は、筐体及び電気的負荷を有する電気機器において、前記筐体が、貫通孔と、電力線のケーブルブッシュ又は受電端子部材を前記貫通孔から露出させて択一的に取り付けるための係合部とを有するものである。
【０００７】
また、本発明の請求項２に記載の電気機器は、請求項１において、前記筐体における貫通孔の縁部に前記係合部が形成され、前記ケーブルブッシュに、前記係合部に対応する第一係合受部が形成され、前記受電端子部材に、前記係合部に対応する第二係合受部が形成されると共に、前記第一係合受部と第二係合受部とが実質的に同じ形状とされるものである。
【０００８】
また、本発明の請求項３に記載の電気機器は、請求項１において、前記筐体における貫通孔の縁部に前記係合部が形成され、この係合部が第一係合部と第二係合部とを有し、前記ケーブルブッシュに、前記第一係合部に対応する第一係合受部が形成されると共に、前記受電端子部材に、前記第二係合部に対応する第二係合受部が形成されるものである。
【０００９】
また、本発明の請求項４に記載の電気機器は、請求項１において、前記筐体における貫通孔の縁部に前記係合部が形成され、前記ケーブルブッシュに第一係合受部が形成され、前記受電端子部材に第二係合受部が形成されると共に、前記係合部と第一係合受部又は／及び前記係合部と第二係合受部との間に中間体が設けられ、この中間体が、前記係合部に対応する中間係合受部と、前記第一係合受部又は／及び前記第二係合受部に対応する第一中間係合部又は／及び第二中間係合部を有するものである。
【００１０】
また、本発明の請求項５に記載の電気機器は、請求項１において、前記筐体における貫通孔の近傍に前記係合部が設けられ、前記ケーブルブッシュに、前記係合部に対応する第一係合受部が形成され、前記受電端子部材に、前記係合部に対応する第二係合受部が形成されると共に、前記第一係合受部と第二係合受部とが実質的に同じ形状とされるものである。
【００１１】
また、本発明の請求項６に記載の電気機器は、請求項１において、前記筐体における貫通孔の近傍に前記係合部が形成され、この係合部が第一係合部と第二係合部とを有し、前記ケーブルブッシュに、前記第一係合部に対応する第一係合受部が形成されると共に、前記受電端子部材に、前記第二係合部に対応する第二係合受部が形成されるものである。
【００１２】
更に、本発明の請求項７に記載の電気機器は、請求項１において、前記筐体における貫通孔の近傍に前記係合部が形成され、前記ケーブルブッシュに第一係合受部が形成され、前記受電端子部材に第二係合受部が形成されると共に、前記係合部と第一係合受部又は／及び前記係合部と第二係合受部との間に中間体が設けられ、この中間体が、前記係合部に対応する中間係合受部と、前記第一係合受部又は／及び前記第二係合受部に対応する第一中間係合部又は／及び第二中間係合部を有するものである。
【発明の効果】
【００１３】
本発明の請求項１に記載の電気機器は、以上のように構成することにより、筐体を共通化して、電気機器を有線式とコードレス式の何れかにすることができる。
【００１４】
なお、前記筐体における貫通孔の縁部に前記係合部が形成され、前記ケーブルブッシュに、前記係合部に対応する第一係合受部が形成され、前記受電端子部材に、前記係合部に対応する第二係合受部が形成されると共に、前記第一係合受部と第二係合受部とが同じ形状とされることで、有線式とコードレス式の電気機器を安価に製造することができる。
【００１５】
また、前記筐体における貫通孔の縁部に前記係合部が形成され、この係合部が第一係合部と第二係合部とを有し、前記ケーブルブッシュに、前記第一係合部に対応する第一係合受部が形成されると共に、前記受電端子部材に、前記第二係合部に対応する第二係合受部が形成されることで、前記ケーブルブッシュ及び受電端子部材を自由に選択して、電気機器を有線式とコードレス式の何れかにすることができるばかりでなく、有線式とコードレス式の電気機器を安価に製造することができる。
【００１６】
また、前記筐体における貫通孔の縁部に前記係合部が形成され、前記ケーブルブッシュに第一係合受部が形成され、前記受電端子部材に第二係合受部が形成されると共に、前記係合部と第一係合受部又は／及び前記係合部と第二係合受部との間に中間体が設けられ、この中間体が、前記係合部に対応する中間係合受部と、前記第一係合受部又は／及び前記第二係合受部に対応する第一中間係合部又は／及び第二中間係合部を有することで、前記ケーブルブッシュ及び受電端子部材を自由に選択して、電気機器を有線式とコードレス式の何れかにすることができる。
【００１７】
また、前記筐体における貫通孔の近傍に前記係合部が設けられ、前記ケーブルブッシュに、前記係合部に対応する第一係合受部が形成され、前記受電端子部材に、前記係合部に対応する第二係合受部が形成されると共に、前記第一係合受部と第二係合受部とが同じ形状とされることで、有線式とコードレス式の電気機器を安価に製造することができる。
【００１８】
また、前記筐体における貫通孔の近傍に前記係合部が形成され、この係合部が第一係合部と第二係合部とを有し、前記ケーブルブッシュに、前記第一係合部に対応する第一係合受部が形成されると共に、前記受電端子部材に、前記第二係合部に対応する第二係合受部が形成されることで、前記ケーブルブッシュ及び受電端子部材を自由に選択して、電気機器を有線式とコードレス式の何れかにすることができるばかりでなく、有線式とコードレス式の電気機器を安価に製造することができる。
【００１９】
更に、前記筐体における貫通孔の近傍に前記係合部が形成され、前記ケーブルブッシュに第一係合受部が形成され、前記受電端子部材に第二係合受部が形成されると共に、前記係合部と第一係合受部又は／及び前記係合部と第二係合受部との間に中間体が設けられ、この中間体が、前記係合部に対応する中間係合受部と、前記第一係合受部又は／及び前記第二係合受部に対応する第一中間係合部又は／及び第二中間係合部を有することで、前記ケーブルブッシュ及び受電端子部材を自由に選択して、電気機器を有線式とコードレス式の何れかにすることができる。
【図面の簡単な説明】
【００２０】
【図１】本発明の第一の実施形態を示す有線式電気機器の概略断面図である。
【図２】同、概略分解断面図である。
【図３】同、電力線に代えて受電端子部材を取り付けたコードレス式電気機器の概略断面図である。
【図４】同、概略分解断面図である。
【図５】本発明の第二の実施形態を示す有線式電気機器の概略断面図である。
【図６】同、概略分解断面図である。
【図７】電力線に代えて受電端子部材を取り付けたコードレス式電気機器の概略断面図である。
【図８】同、概略分解断面図である。
【図９】本発明の第三の実施形態を示す有線式電気機器の概略断面図である。
【図１０】同、概略分解断面図である。
【図１１】同、電力線に代えて受電端子部材を取り付けたコードレス式電気機器の概略断面図である。
【図１２】同、概略分解断面図である。
【図１３】同、大型の受電端子部材を取り付けたコードレス式電気機器の概略断面図である。
【図１４】同、概略分解断面図である。
【図１５】本発明の第四の実施形態を示す有線式電気機器の概略断面図である。
【図１６】同、概略分解断面図である。
【図１７】同、電力線に代えて受電端子部材を取り付けたコードレス式電気機器の概略断面図である。
【図１８】同、概略分解断面図である。
【図１９】本発明の第五の実施形態を示す有線式電気機器の概略断面図である。
【図２０】同、概略分解断面図である。
【図２１】同、電力線に代えて受電端子部材を取り付けたコードレス式電気機器の概略断面図である。
【図２２】同、概略分解断面図である。
【図２３】本発明の第六の実施形態を示す有線式電気機器の概略断面図である。
【図２４】同、概略分解断面図である。
【図２５】同、電力線に代えて受電端子部材を取り付けたコードレス式電気機器の概略断面図である。
【図２６】同、概略分解断面図である。
【発明を実施するための形態】
【００２１】
以下、本発明の第一の実施形態について、図１乃至図４に基づいて説明する。なお、第一の実施形態において、図１乃至図４の左右を本実施形態における左右と規定する。また、図２及び図４においては、内部構造を省略する。１は本発明の電気機器である。この電気機器１は、筐体２と、この筐体２内に設けられた電気的負荷３及び電気回路４とを有する。なお、ここで言う電気的負荷３は、電動機、熱源、光源、スピーカー等、供給される電力によって動作する要素である。
【００２２】
前記筐体２は、一対の右半体５及び左半体６を有する。そして、これらの半体５，６には、それぞれ切欠部７，８が設けられる。そして、これらの切欠部７，８を合わせることで、貫通孔９が形成される。そして、この貫通孔９には、図１に示すように、電力線１０を保護するためのケーブルブッシュ１１が保持されるか、又は図３に示すように、受電端子部材１２が保持される。
【００２３】
前記右半体５の切欠部７の縁部には、一対の内向きリブ１３，１４が形成される。同様に、前記左半体６の切欠部８の縁部には、一対の内向きリブ１５，１６が形成される。そして、これらの内向きリブ１３，１４，１５，１６によって、係合部１７が構成される。なお、１８，１９は、前記筐体２の右半体５及び左半体６に形成された補強用のリブである。
【００２４】
これに対し、図２に示すように、前記ケーブルブッシュ１１には、前記各内向きリブ１３，１５に対応して、外向き凹条２０が形成されると共に、前記各内向きリブ１４，１６に対応して、外向き凹条２１が形成される。これらの外向き凹条２０，２１によって、第一係合受部２２が構成される。そして、前記各半体５，６を結合させる際に、前記切欠部７，８で前記ケーブルブッシュ１１を左右から挟持することで、前記係合部１７と第一係合受部２２が係合するので、前記ケーブルブッシュ１１が前記貫通孔９に保持される。一方、図４に示すように、前記受電端子部材１２にも、前記各内向きリブ１３，１４，１５，１６に対応して、外向き凹条２３，２４が形成される。これらの外向き凹条２３，２４によって、第二係合受部２５が構成される。そして、前記各半体５，６を結合させる際に、前記切欠部７，８で前記受電端子部材１２を左右から挟持することで、前記係合部１７と第二係合受部２５が係合するので、前記受電端子部材１２が前記貫通孔９に保持される。そして、前記第一係合受部２２と第二係合受部２５の形状は同一である。なお、図３，図４における２６は、前記受電端子部材１２に接続される給電端子部材、図３における２７は二次電池である。
【００２５】
このように、前記筐体２の貫通孔９に電力線１０のケーブルブッシュ１１を保持させて前記電気機器１を構成することで、前記電力線１０を経て供給される電力によって、前記電気的負荷３が作動する。一方、前記筐体２の貫通孔９に受電端子部材１２を保持させて前記電気機器１を構成することで、前記給電端子部材２６と受電端子部材１２を経て供給される電力が前記二次電池２７に蓄えられ、この二次電池２７から供給される電力によって、前記電気的負荷３が作動する。
【００２６】
このように、前記筐体２に前記係合部１７を有する貫通孔９を形成し、前記電力線１０のケーブルブッシュ１１又は前記受電端子部材１２を前記貫通孔９から露出させて択一的に取り付けることで、前記筐体２を共通化して、前記電気機器１を有線式とコードレス式の何れかにすることができる。また、前記ケーブルブッシュ１１に形成された第一係合受部２２と前記受電端子部材１２に形成された第二係合受部２５の形状を同一とすることで、前記筐体２を単純な構造で共通化して、有線式とコードレス式の電気機器１を安価に製造することができる。
【００２７】
次に、本発明の第二の実施形態について、図５乃至図８に基づいて説明する。なお、第二の実施形態においても、図５乃至図８の左右を本実施形態における左右と規定する。また、図６及び図８においては、内部構造を省略する。３１は本発明の電気機器である。この電気機器３１は、筐体３２と、この筐体３２内に設けられた電気的負荷３及び電気回路４とを有する。なお、ここで言う電気的負荷３は、電動機、熱源、光源、スピーカー等、供給される電力によって動作する要素である。
【００２８】
前記筐体３２は、一対の右半体３３及び左半体３４を有する。そして、これらの半体３３，３４には、それぞれ切欠部３５，３６が設けられる。そして、これらの切欠部３５，３６を合わせることで、貫通孔３７が形成される。そして、この貫通孔３７には、図５に示すように、電力線１０を保護するためのケーブルブッシュ１１が保持されるか、又は図７に示すように、受電端子部材３８が保持される。
【００２９】
前記右半体３３の切欠部３５の縁部には、一対の内向きリブ３９，４０が形成される。同様に、前記左半体３４の切欠部３６の縁部には、一対の内向きリブ４１，４２が形成される。そして、これらの内向きリブ３９，４０，４１，４２によって、第一係合部４３が構成される。一方、前記右半体３３の切欠部３５の縁部における前記内向きリブ４０の下方には、内向き凹条４４が形成される。同様に、前記左半体３４の切欠部３６の縁部における前記内向きリブ４２の下方には、内向き凹条４５が形成される。そして、これらの内向き凹条４４，４５によって、第二係合部４６が構成される。なお、４７，４８は、前記筐体３２の右半体３３及び左半体３４に形成された補強用のリブである。
【００３０】
これに対し、図６に示すように、前記ケーブルブッシュ１１には、前記各内向きリブ３９，４１に対応して、外向き凹条２０が形成されると共に、前記各内向きリブ４０，４２に対応して、外向き凹条２１が形成される。これらの外向き凹条２０，２１によって、第一係合受部２２が構成される。そして、前記各半体３３，３４を結合させる際に、前記切欠部３５，３６で前記ケーブルブッシュ１１を左右から挟持することで、前記第一係合部４３と第一係合受部２２が係合するので、前記ケーブルブッシュ１１が前記貫通孔３７に保持される。一方、図８に示すように、前記受電端子部材３８には、前記各内向き凹条４４，４５に対応して、外向きリブ４９が形成される。この外向きリブ４９によって、第二係合受部５０が構成される。そして、前記各半体３３，３４を結合させる際に、前記切欠部３５，３６で前記受電端子部材３８を左右から挟持することで、前記第二係合部４６と第二係合受部５０が係合するので、前記受電端子部材３８が前記貫通孔３７に保持される。なお、図７，図８における２６は、前記受電端子部材３８に接続される給電端子部材、図７における２７は二次電池である。
【００３１】
このように、前記筐体３２の貫通孔３７に電力線１０のケーブルブッシュ１１を保持させて前記電気機器３１を構成することで、前記電力線１０を経て供給される電力によって、前記電気的負荷３が作動する。一方、前記筐体３２の貫通孔３７に受電端子部材３８を保持させて前記電気機器３１を構成することで、前記給電端子部材２６と受電端子部材３８を経て供給される電力が前記二次電池２７に蓄えられ、この二次電池２７から供給される電力によって、前記電気的負荷３が作動する。
【００３２】
このように、前記筐体３２に前記第一係合部４３及び第二係合部４６を有する貫通孔３７を形成し、前記電力線１０のケーブルブッシュ１１又は前記受電端子部材３８を前記貫通孔３７から露出させて択一的に取り付けることで、前記筐体３２を共通化して、前記電気機器３１を有線式とコードレス式の何れかにすることができる。また、前記ケーブルブッシュ１１に形成された第一係合受部２２を前記第一係合部４３によって保持可能とし、前記受電端子部材３８に形成された第二係合受部５０を前記第二係合部４６によって保持可能とすることで、前記筐体３２を単純な構造で共通化して、有線式とコードレス式の電気機器３１を安価に製造することができる。また、前記第一係合受部２２と第二係合受部５０が必ずしも同一の形状でなくてもよいので、前記ケーブルブッシュ１１及び受電端子部材３８を自由に選択して、電気機器３１を有線式とコードレス式の何れかにすることができる。
【００３３】
次に、本発明の第三の実施形態について、図９乃至図１４に基づいて説明する。なお、第三の実施形態においても、図９乃至図１４の左右を本実施形態における左右と規定する。また、図１０、図１２及び図１４においては、内部構造を省略する。５１は本発明の電気機器である。この電気機器５１は、筐体５２と、この筐体５２内に設けられた電気的負荷３及び電気回路４とを有する。なお、ここで言う電気的負荷３は、電動機、熱源、光源、スピーカー等、供給される電力によって動作する要素である。
【００３４】
前記筐体５２は、一対の右半体５３及び左半体５４を有する。そして、これらの半体５３，５４には、それぞれ切欠部５５，５６が設けられる。そして、これらの切欠部５５，５６を合わせることで、貫通孔５７が形成される。そして、この貫通孔５７には、図９に示すように、電力線１０を保護するためのケーブルブッシュ１１が第一中間体５８を介して保持されるか、又は図１１に示すように、受電端子部材３８が第二中間体５９を介して保持される。
【００３５】
前記右半体５３の切欠部５５の縁部には、内向き凹条６０が形成される。同様に、前記左半体５４の切欠部５６の縁部には、内向き凹条６１が形成される。そして、これらの内向き凹条６０，６１によって、係合部６２が構成される。なお、６３，６４は、前記筐体５２の右半体５３及び左半体５４に形成された補強用のリブである。
【００３６】
前記第一中間体５８は、第一右半体６５及び第一左半体６６を有する。そして、これらの第一右半体６５及び第一左半体６６は、それぞれ切欠部６７，６８を有する。そして、これらの切欠部６７，６８を合わせることで、貫通孔６９が形成される。前記第一右半体６５の外面側には、前記内向き凹条６０に対応して外向きリブ７０が形成される。同様に、前記第一左半体６６の外面側には、前記内向き凹条６１に対応して外向きリブ７１が形成される。そして、これらの外向きリブ７０，７１によって、第一中間係合受部７２が構成される。一方、前記第一右半体６５の切欠部６７には、一対の内向きリブ７３，７４が形成される。同様に、前記第一左半体６６の切欠部６８には、一対の内向きリブ７５，７６が形成される。そして、これらの内向きリブ７３，７４，７５，７６によって、第一中間係合部７７が構成される。
【００３７】
これに対し、図１０に示すように、前記ケーブルブッシュ１１には、前記各内向きリブ７３，７５に対応して、外向き凹条２０が形成されると共に、前記各内向きリブ７４，７６に対応して、外向き凹条２１が形成される。これらの外向き凹条２０，２１によって、第一係合受部２２が構成される。そして、前記第一右半体６５と第一左半体６６を結合させる際に、前記切欠部６７，６８で前記ケーブルブッシュ１１を左右から挟持することで、前記第一中間係合部７７と第一係合受部２２が係合する。更に、前記右半体５３と左半体５４を結合させる際に、前記切欠部５５，５６で前記第一中間体５８を左右から挟持することで、前記第一中間係合受部７２と係合部６２が係合する。これによって、前記ケーブルブッシュ１１が前記貫通孔５７に保持される。
【００３８】
前記第二中間体５９は、第二右半体７８及び第二左半体７９を有する。そして、これらの第二右半体７８及び第二左半体７９は、それぞれ切欠部８０，８１を有する。そして、これらの切欠部８０，８１を合わせることで、貫通孔８２が形成される。前記第二右半体７８の外面側には、前記内向き凹条６０に対応して外向きリブ８３が形成される。同様に、前記第二左半体７９の外面側には、前記内向き凹条６１に対応して外向きリブ８４が形成される。そして、これらの外向きリブ８３，８４によって、第二中間係合受部８５が構成される。一方、前記第二右半体７８の切欠部８０には、内向き凹条８６が形成される。同様に、前記第二左半体７９の切欠部８１には、内向き凹条８７が形成される。そして、これらの内向き凹条８６，８７によって、第二中間係合部８８が構成される。
【００３９】
これに対し、図１２に示すように、前記受電端子部材３８には、前記各内向き凹条８６，８７に対応して、外向きリブ４９が形成される。この外向きリブ４９によって、第二係合受部５０が構成される。そして、前記第二右半体７８と第二左半体７９を結合させる際に、前記切欠部８０，８１で前記受電端子部材３８を左右から挟持することで、前記第二中間係合部８８と第二係合受部５０が係合する。更に、前記右半体５３と左半体５４を結合させる際に、前記切欠部５５，５６で前記第二中間体５９を左右から挟持することで、前記第二中間係合受部８５と係合部６２が係合する。これによって、前記受電端子部材３８が前記貫通孔５７に保持される。なお、図１１，図１２における２６は、前記受電端子部材３８に接続される給電端子部材、図１１における２７は二次電池である。
【００４０】
このように、前記筐体５２の貫通孔５７に、前記第一中間体５８を介して前記電力線１０のケーブルブッシュ１１を保持させて前記電気機器３１を構成することで、前記電力線１０を経て供給される電力によって、前記電気的負荷３が作動する。一方、前記筐体５２の貫通孔５７に、前記第二中間体５９を介して受電端子部材３８を保持させて前記電気機器５１を構成することで、前記給電端子部材２６と受電端子部材３８を経て供給される電力が前記二次電池２７に蓄えられ、この二次電池２７から供給される電力によって、前記電気的負荷３が作動する。
【００４１】
このように、前記筐体５２に前記係合部６２を有する貫通孔５７を形成し、前記電力線１０のケーブルブッシュ１１又は前記受電端子部材３８を前記貫通孔５７から露出させて択一的に取り付けることで、前記筐体５２を共通化して、前記電気機器５１を有線式とコードレス式の何れかにすることができる。また、前記ケーブルブッシュ１１に形成された第一係合受部２２と前記第一中間体５８の第一中間係合部７７とを係合させた後、前記第一中間体５８の第一中間係合受部７２を前記係合部６２によって保持可能とし、前記受電端子部材３８に形成された第二係合受部５０と前記第二中間体５９の第二中間係合部８８とを係合させた後、前記第二中間体５９の第二中間係合受部８５を前記係合部６２によって保持可能とすることで、前記筐体５２を単純な構造で共通化して、有線式とコードレス式の電気機器５１を安価に製造することができる。また、前記第一係合受部２２と第二係合受部５０が必ずしも同一の形状でなくてもよいので、前記ケーブルブッシュ１１及び受電端子部材３８を自由に選択して、電気機器５１を有線式とコードレス式の何れかにすることができる。
【００４２】
なお、図１３及び図１４に示すように、受電端子部材８９が前記ケーブルブッシュ１１に比べて太い場合、前記第二中間体５９を用いることなく、前記筐体５２の係合部６２に前記受電端子部材８９の外向きリブ９０からなる係合受部９１を直接係合させても良い。図示しないが、ケーブルブッシュが前記受電端子部材３８に比べて太い場合も、同様に、前記第二中間体５８を用いることなく、前記筐体５２の係合部６２に前記ケーブルブッシュの係合受部を直接係合させても良い。即ち、本実施形態では、ケーブルブッシュ又は受電端子部材の何れか一方を、中間体を介して前記筐体５２の係合部６２に係合させ、何れか他方を、中間体を介さずに前記筐体５２の係合部６２に直接係合させるような組み合わせにしてもよい。
【００４３】
次に、本発明の第四の実施形態について、図１５乃至図１８に基づいて説明する。なお、第四の実施形態においても、図１５乃至図１８の左右を本実施形態における左右と規定する。また、図１６及び図１８においては、内部構造を省略する。１０１は本発明の電気機器である。この電気機器１０１は、筐体１０２と、この筐体１０２内に設けられた電気的負荷３及び電気回路４とを有する。なお、ここで言う電気的負荷３は、電動機、熱源、光源、スピーカー等、供給される電力によって動作する要素である。
【００４４】
前記筐体１０２は、一対の右半体１０３及び左半体１０４を有する。そして、これらの半体１０３，１０４には、それぞれ切欠部１０５，１０６が設けられる。そして、これらの切欠部１０５，１０６を合わせることで、貫通孔１０７が形成される。そして、この貫通孔１０７から露出して、図１５に示すように、電力線１０を保護するためのケーブルブッシュ１１が前記筐体１０２に保持されるか、又は図１７に示すように、受電端子部材１２が前記筐体１０２に保持される。
【００４５】
前記右半体１０３における前記切欠部１０５の近傍には、右係合部１０８が形成される。そして、この右係合部１０８には、一対の内向きリブ１０９，１１０が形成される。同様に、前記左半体１０４における前記切欠部１０６の近傍には、左係合部１１１が形成される。そして、この左係合部１１１には、一対の内向きリブ１１２，１１３が形成される。そして、これらの内向きリブ１０９，１１０，１１２，１１３によって、係合部１１４が構成される。なお、１１５，１１６は、前記筐体１０２の右半体１０３及び左半体１０４に形成された補強用のリブである。そして前記リブ１１５によって、前記右係合部１０８が支持される。同様に、前記リブ１１６によって、前記左係合部１１１が支持される。また、前記右係合部１０８と右半体１０３は、一体であっても別体であってもよい。同様に、前記左係合部１１１と左半体１０４は、一体であっても別体であってもよい。
【００４６】
これに対し、図１５に示すように、前記ケーブルブッシュ１１には、前記各内向きリブ１０９，１１２に対応して、外向き凹条２０が形成されると共に、前記各内向きリブ１１０，１１３に対応して、外向き凹条２１が形成される。これらの外向き凹条２０，２１によって、第一係合受部２２が構成される。そして、前記各半体１０３，１０４を結合させる際に、前記右係合部１０８と左係合部１１１で前記ケーブルブッシュ１１を左右から挟持することで、前記係合部１１４と第一係合受部２２が係合するので、前記ケーブルブッシュ１１が前記貫通孔１０７から露出して前記筐体１０２に保持される。一方、図１７に示すように、前記受電端子部材１２にも、前記各内向きリブ１０９，１１０，１１２，１１３に対応して、外向き凹条２３，２４が形成される。これらの外向き凹条２３，２４によって、第二係合受部２５が構成される。そして、前記各半体１０３，１０４を結合させる際に、前記右係合部１０８と左係合部１１１で前記受電端子部材１２を左右から挟持することで、前記係合部１１４と第二係合受部２５が係合するので、前記受電端子部材１２が前記貫通孔１０７から露出して前記筐体１０２に保持される。そして、前記第一係合受部２２と第二係合受部２５の形状は同一である。なお、図１７，図１８における２６は、前記受電端子部材１２に接続される給電端子部材、図１７における２７は二次電池である。
【００４７】
このように、前記筐体１０２の貫通孔１０７から露出して前記筐体１０２に前記電力線１０のケーブルブッシュ１１を保持させて前記電気機器１０１を構成することで、前記電力線１０を経て供給される電力によって、前記電気的負荷３が作動する。一方、前記筐体１０２の貫通孔１０７から露出して前記筐体１０２に前記受電端子部材１２を保持させて前記電気機器１０１を構成することで、前記給電端子部材２６と受電端子部材１２を経て供給される電力が前記二次電池２７に蓄えられ、この二次電池２７から供給される電力によって、前記電気的負荷３が作動する。
【００４８】
このように、前記筐体１０２の貫通孔１０７の近傍に前記係合部１１４を形成し、前記電力線１０のケーブルブッシュ１１又は前記受電端子部材１２を前記貫通孔１０７から露出させて択一的に取り付けることで、前記筐体１０２を共通化して、前記電気機器１０１を有線式とコードレス式の何れかにすることができる。また、前記ケーブルブッシュ１１に形成された第一係合受部２２と前記受電端子部材１２に形成された第二係合受部２５の形状を同一とすることで、前記筐体１０２を単純な構造で共通化して、有線式とコードレス式の電気機器１０１を安価に製造することができる。
【００４９】
次に、本発明の第五の実施形態について、図１９乃至図２２に基づいて説明する。なお、第五の実施形態においても、図１９乃至図２２の左右を本実施形態における左右と規定する。また、図２０及び図２２においては、内部構造を省略する。１２１は本発明の電気機器である。この電気機器１２１は、筐体１２２と、この筐体１２２内に設けられた電気的負荷３及び電気回路４とを有する。なお、ここで言う電気的負荷３は、電動機、熱源、光源、スピーカー等、供給される電力によって動作する要素である。
【００５０】
前記筐体１２２は、一対の右半体１２３及び左半体１２４を有する。そして、これらの半体１２３，１２４には、それぞれ切欠部１２５，１２６が設けられる。そして、これらの切欠部１２５，１２６を合わせることで、貫通孔１２７が形成される。そして、この貫通孔１２７から露出して、図１９に示すように、電力線１０を保護するためのケーブルブッシュ１１が前記筐体１２２に保持されるか、又は図２１に示すように、受電端子部材３８が前記筐体１２２に保持される。
【００５１】
前記右半体１２３における前記切欠部１２５の近傍には、右係合部１２８が形成される。そして、この右係合部１２８には、一対の内向きリブ１２９，１３０が形成される。また、前記右係合部１２８における前記内向きリブ１３０の下方には、内向き凹条１３１が形成される。同様に、前記左半体１２４における前記切欠部１２６の近傍には、左係合部１３２が形成される。そして、この左係合部１３２には、一対の内向きリブ１３３，１３４が形成される。また、前記左係合部１３２における前記内向きリブ１３４の下方には、内向き凹条１３５が形成される。そして、前記各内向きリブ１２９，１３０，１３３，１３４によって、第一係合部１３６が構成される。また、前記各内向き凹条１３１，１３５によって、第二係合部１３７が構成される。なお、１３８，１３９は、前記筐体１２２の右半体１２３及び左半体１２４に形成された補強用のリブである。そして前記リブ１３８によって、前記右係合部１２８が支持される。同様に、前記リブ１３９によって、前記左係合部１３２が支持される。また、前記右係合部１２８と右半体１２３は、一体であっても別体であってもよい。同様に、前記左係合部１３２と左半体１２４は、一体であっても別体であってもよい。
【００５２】
これに対し、図２０に示すように、前記ケーブルブッシュ１１には、前記各内向きリブ１２９，１３３に対応して、外向き凹条２０が形成されると共に、前記各内向きリブ１３０，１３４に対応して、外向き凹条２１が形成される。これらの外向き凹条２０，２１によって、第一係合受部２２が構成される。そして、前記各半体１２３，１２４を結合させる際に、前記右係合部１２８と左係合部１３２で前記ケーブルブッシュ１１を左右から挟持することで、前記第一係合部１３６と第一係合受部２２が係合するので、前記ケーブルブッシュ１１が前記貫通孔１２７から露出して、前記筐体１２２に保持される。一方、図２２に示すように、前記受電端子部材３８には、前記各内向き凹条１３１，１３７に対応して、外向きリブ４９が形成される。この外向きリブ４９によって、第二係合受部５０が構成される。そして、前記各半体１２３，１２４を結合させる際に、前記右係合部１２８と左係合部１３２で前記受電端子部材３８を左右から挟持することで、前記第二係合部１３７と第二係合受部５０が係合するので、前記受電端子部材３８が前記貫通孔１２７から露出して、前記筐体１２２に保持される。なお、図２１，図２２における２６は、前記受電端子部材３８に接続される給電端子部材、図２１における２７は二次電池である。
【００５３】
このように、前記筐体１２２の貫通孔１２７から露出して前記筐体１２２に前記電力線１０のケーブルブッシュ１１を保持させて前記電気機器１２１を構成することで、前記電力線１０を経て供給される電力によって、前記電気的負荷３が作動する。一方、前記筐体１２２の貫通孔１２７から露出して前記筐体１２２に前記受電端子部材３８を保持させて前記電気機器１２１を構成することで、前記給電端子部材２６と受電端子部材３８を経て供給される電力が前記二次電池２７に蓄えられ、この二次電池２７から供給される電力によって、前記電気的負荷３が作動する。
【００５４】
このように、前記筐体１２２の貫通孔１２７近傍に、前記第一係合部１３６及び第二係合部１３７を有する右係合部１２８及び左係合部１３２を形成し、前記電力線１０のケーブルブッシュ１１又は前記受電端子部材３８を前記貫通孔１２７から露出させて択一的に取り付けることで、前記筐体１２２を共通化して、前記電気機器１２１を有線式とコードレス式の何れかにすることができる。また、前記ケーブルブッシュ１１に形成された第一係合受部２２を前記第一係合部１３６によって保持可能とし、前記受電端子部材３８に形成された第二係合受部５０を前記第二係合部１３７によって保持可能とすることで、前記筐体１２２を単純な構造で共通化して、有線式とコードレス式の電気機器１２１を安価に製造することができる。また、前記第一係合受部２２と第二係合受部５０が必ずしも同一の形状でなくてもよいので、前記ケーブルブッシュ１１及び受電端子部材３８を自由に選択して、電気機器１２１を有線式とコードレス式の何れかにすることができる。
【００５５】
次に、本発明の第六の実施形態について、図２３乃至図２６に基づいて説明する。なお、第六の実施形態においても、図２３乃至図２６の左右を本実施形態における左右と規定する。また、図２４及び図２６においては、内部構造を省略する。１４１は本発明の電気機器である。この電気機器１４１は、筐体１４２と、この筐体１４２内に設けられた電気的負荷３及び電気回路４とを有する。なお、ここで言う電気的負荷３は、電動機、熱源、光源、スピーカー等、供給される電力によって動作する要素である。
【００５６】
前記筐体１４２は、一対の右半体１４３及び左半体１４４を有する。そして、これらの半体１４３，１４４には、それぞれ切欠部１４５，１４６が設けられる。そして、これらの切欠部１４５，１４６を合わせることで、貫通孔１４７が形成される。そして、この貫通孔１４７から露出して、図２３に示すように、電力線１０を保護するためのケーブルブッシュ１１が前記筐体１４２に第一中間体１４８を介して保持されるか、又は図２５に示すように、受電端子部材３８が第二中間体１４９を介して前記筐体１４２に保持される。
【００５７】
前記右半体１４３の切欠部１４５の近傍には、内向き凹条１５０が形成される。同様に、前記左半体１４４の切欠部１４６の近傍には、内向き凹条１５１が形成される。そして、これらの内向き凹条１５０，１５１によって、係合部１５２が構成される。
【００５８】
前記第一中間体１４８は、第一右半体１５３及び第一左半体１５４を有する。そして、これらの第一右半体１５３及び第一左半体１５４は、それぞれ切欠部１５５，１５６を有する。そして、これらの切欠部１５５，１５６を合わせることで、貫通孔１５７が形成される。前記第一右半体１５３の外面側には、前記内向き凹条１５０に対応して外向きリブ１５８が形成される。同様に、前記第一左半体１５４の外面側には、前記内向き凹条１５１に対応して外向きリブ１５９が形成される。そして、これらの外向きリブ１５８，１５９によって、第一中間係合受部１６０が構成される。一方、前記第一右半体１５３の切欠部１５５には、一対の内向きリブ１６１，１６２が形成される。同様に、前記第一左半体１５４の切欠部１５５には、一対の内向きリブ１６３，１６４が形成される。そして、これらの内向きリブ１６１，１６２，１６３，１６４によって、第一中間係合部１６５が構成される。
【００５９】
これに対し、図２４に示すように、前記ケーブルブッシュ１１には、前記各内向きリブ１６１，１６３に対応して、外向き凹条２０が形成されると共に、前記各内向きリブ１６２，１６４に対応して、外向き凹条２１が形成される。これらの外向き凹条２０，２１によって、第一係合受部２２が構成される。そして、前記第一右半体１５３と第一左半体１５４を結合させる際に、前記切欠部１５５，１５６で前記ケーブルブッシュ１１を左右から挟持することで、前記第一中間係合部１６５と第一係合受部２２が係合する。更に、前記右半体１４３と左半体１４４を結合させて前記第一中間体１４８を左右から挟持することで、前記第一中間係合受部１６０と係合部１５２が係合する。これによって、前記ケーブルブッシュ１１が前記貫通孔１４７から露出して、前記筐体１４２に保持される。
【００６０】
前記第二中間体１４９は、第二右半体１６６及び第二左半体１６７を有する。そして、これらの第二右半体１６６及び第二左半体１６７は、それぞれ切欠部１６８，１６９を有する。そして、これらの切欠部１６８，１６９を合わせることで、貫通孔１７０が形成される。前記第二右半体１６６の外面側には、前記内向き凹条１５０に対応して外向きリブ１７１が形成される。同様に、前記第二左半体１６７の外面側には、前記内向き凹条１５１に対応して外向きリブ１７２が形成される。そして、これらの外向きリブ１７１，１７２によって、第二中間係合受部１７３が構成される。一方、前記第二右半体１６６の切欠部１６８には、内向き凹条１７４が形成される。同様に、前記第二左半体１６７の切欠部１６９には、内向き凹条１７５が形成される。そして、これらの内向き凹条１７４，１７５によって、第二中間係合部１７６が構成される。
【００６１】
これに対し、図２６に示すように、前記受電端子部材３８には、前記各内向き凹条１７４，１７５に対応して、外向きリブ４９が形成される。この外向きリブ４９によって、第二係合受部５０が構成される。そして、前記第二右半体１６６と第二左半体１６７を結合させる際に、前記切欠部１６８，１６９で前記受電端子部材３８を左右から挟持することで、前記第二中間係合部１７６と第二係合受部５０が係合する。更に、前記右半体１４３と左半体１４４を結合させて前記第二中間体１４９を左右から挟持することで、前記第二中間係合受部１７３と係合部１５２が係合する。これによって、前記受電端子部材３８が前記貫通孔１４７から露出して、前記筐体１４２に保持される。なお、図２５，図２６における２６は、前記受電端子部材３８に接続される給電端子部材、図２５における２７は二次電池である。
【００６２】
このように、前記筐体１４２の貫通孔１４７から露出するように、前記第一中間体１４８を介して前記電力線１０のケーブルブッシュ１１を前記筐体１４２に保持させて前記電気機器１４１を構成することで、前記電力線１０を経て供給される電力によって、前記電気的負荷３が作動する。一方、前記筐体１４２の貫通孔１４７から露出するように、前記第二中間体１４９を介して受電端子部材３８を前記筐体１４２に保持させて前記電気機器１４１を構成することで、前記給電端子部材２６と受電端子部材３８を経て供給される電力が前記二次電池２７に蓄えられ、この二次電池２７から供給される電力によって、前記電気的負荷３が作動する。
【００６３】
このように、前記筐体１４２に前記貫通孔１４７を形成し、前記電力線１０のケーブルブッシュ１１又は前記受電端子部材３８を前記貫通孔１４７から露出させて択一的に取り付けることで、前記筐体１４２を共通化して、前記電気機器１４１を有線式とコードレス式の何れかにすることができる。また、前記ケーブルブッシュ１１に形成された第一係合受部２２と前記第一中間体１４８の第一中間係合部１６５とを係合させた後、前記第一中間体１４８の第一中間係合受部１６０を前記係合部１５２によって保持可能とし、前記受電端子部材３８に形成された第二係合受部５０と前記第二中間体１４９の第二中間係合部１７６とを係合させた後、前記第二中間体１４９の第二中間係合受部１７３を前記係合部１５２によって保持可能とすることで、前記筐体１４２を単純な構造で共通化して、有線式とコードレス式の電気機器１４１を安価に製造することができる。また、前記第一係合受部２２と第二係合受部５０が必ずしも同一の形状でなくてもよいので、前記ケーブルブッシュ１１及び受電端子部材３８を自由に選択して、電気機器１４１を有線式とコードレス式の何れかにすることができる。
【００６４】
なお、本実施形態においても、第三の実施形態と同様に、ケーブルブッシュ又は受電端子部材の何れか一方を、中間体を介して前記筐体１４２の係合部１５２に係合させ、何れか他方を、中間体を介さずに前記筐体１４２の係合部１５２に直接係合させるような組み合わせにしてもよい。
【００６５】
なお、本発明は以上の実施形態に限定されるものではなく、発明の要旨の範囲内で種々の変形実施が可能である。例えば、上記各実施形態では、受電端子部材を用いる場合は二次電池２７が筐体内に内蔵されるが、単純に電力線が着脱されるだけの二次電池を内蔵しない有線式としてもよい。また、受電端子部材の形式としては、差込ジャック、マグネットプラグ受け、電源インレット等であってもよい。
【符号の説明】
【００６６】
１  電気機器
２  筐体
３  電気的負荷
９  貫通孔
１０  電力線
１１  ケーブルブッシュ
１２  受電端子部材
１７  係合部
２２  第一係合受部
２５  第二係合受部
３１  電気機器
３２  筐体
３７  貫通孔
３８  受電端子部材
４３  第一係合部
４６  第二係合部
５０  第二係合受部
５１  電気機器
５２  筐体
５７  貫通孔
５８  第一中間体
５９  第二中間体
６２  係合部
７２  第一中間係合受部
７７  第一中間係合部
８５  第二中間係合受部
８８  第二中間係合部
８９  受電端子部材
９１  係合受部
１０１  電気機器
１０２  筐体
１０７  貫通孔
１０８  右係合部
１１１  左係合部
１１４  係合部
１２１  電気機器
１２２  筐体
１２７  貫通孔
１３６  第一係合部
１３７  第二係合部
１４１  電気機器
１４２  筐体
１４７  貫通孔
１４８  第一中間体
１４９  第二中間体
１５２  係合部
１６０  第一中間係合受部
１６５  第一中間係合部
１７３  第二中間係合受部
１７６  第二中間係合部
【図１】
2020181940.tif 000003
【図２】
2020181940.tif 000004
【図３】
2020181940.tif 000005
【図４】
2020181940.tif 000006
【図５】
2020181940.tif 000007
【図６】
2020181940.tif 000008
【図７】
2020181940.tif 000009
【図８】
2020181940.tif 000010
【図９】
2020181940.tif 000011
【図１０】
2020181940.tif 000012
【図１１】
2020181940.tif 000013
【図１２】
2020181940.tif 000014
【図１３】
2020181940.tif 000015
【図１４】
2020181940.tif 000016
【図１５】
2020181940.tif 000017
【図１６】
2020181940.tif 000018
【図１７】
2020181940.tif 000019
【図１８】
2020181940.tif 000020
【図１９】
2020181940.tif 000021
【図２０】
2020181940.tif 000022
【図２１】
2020181940.tif 000023
【図２２】
2020181940.tif 000024
【図２３】
2020181940.tif 000025
【図２４】
2020181940.tif 000026
【図２５】
2020181940.tif 000027
【図２６】
2020181940.tif 000028